(57)【要約】      （修正有）【課題】例えば停電した場合のような非常時に、人に有効活用されることができる飲料水供給装置を提供する。【解決手段】商用電源から供給される電力により駆動可能な冷却装置及び／又はヒータを有し、着脱可能に取り付けられた充填袋から供給された飲料水を、前記冷却装置により冷却及び／又は前記ヒータにより加熱して供給する飲料水供給装置において、電力を供給可能な乾電池を有し、停電により商用電源からの電力の供給が停止した場合に、前記乾電池から電力が供給されて発光可能な発光部４０を有する。【選択図】図６
2015093695.tif 000002
【特許請求の範囲】
【請求項１】
商用電源から供給される電力により駆動可能な冷却装置及び／又は加熱装置を有し、
着脱可能に取り付けられた飲料水貯溜容器から供給された飲料水を、前記冷却装置により冷却及び／又は前記加熱装置により加熱して供給する飲料水供給装置において、
電力を供給可能な電力供給部と、
停電により商用電源からの電力の供給が停止した場合に、前記電力供給部から電力が供給されて発光可能な発光部と、
を有する、
ことを特徴とする飲料水供給装置。
【請求項２】
停電を検知する停電検知手段と、
前記発光部を発光させる発光手段と、
を有し、
前記停電検知手段により停電が検知されると、前記発光手段により自動的に前記発光部が発光される、
ことを特徴とする請求項１に記載の飲料水供給装置。
【請求項３】
防災用品を収納する防災用品収納部を有し、
前記発光部が発光されると、前記防災用品収納部の周囲が照らされる、
ことを特徴とする請求項１又は請求項２に記載の飲料水供給装置。
【請求項４】
前記冷却装置により冷却及び／又は前記加熱装置により加熱した飲料水を供給するための飲料水供給部を有し、
前記発光部が発光されると、前記飲料水供給部の周囲が照らされる、
ことを特徴とする請求項１から請求項３までのいずれか一項に記載の飲料水供給装置。
【発明の詳細な説明】
【技術分野】
【０００１】
本発明は、着脱可能に取り付けられた飲料水貯溜容器から供給された飲料水を供給する飲料水供給装置の技術に関する。
【背景技術】
【０００２】
従来、着脱可能に取り付けられた飲料水貯溜容器から供給された飲料水を供給する飲料水供給装置の技術は公知となっている。例えば、特許文献１に記載の如くである。
【０００３】
特許文献１には、着脱可能に取り付けられたボトル（飲料水貯溜容器）から供給された飲料水を供給する飲料水供給装置の技術が開示されている。
【０００４】
ここで、飲料水供給装置は飲料水を供給するものであるところ、飲料水は人の生活に必要なものであるため、飲料水供給装置は人が比較的長く過ごす場所や、当該場所から比較的近い場所に設置されることが多い。
したがって、飲料水供給装置は、例えば停電した場合のような非常時に、人に有効活用されることができるものであることが望ましい。
【先行技術文献】
【特許文献】
【０００５】
【特許文献１】特開２０１２−２１８７４８号公報
【発明の概要】
【発明が解決しようとする課題】
【０００６】
本発明は以上の如き状況に鑑みてなされたものであり、その解決しようとする課題は、例えば停電した場合のような非常時に、人に有効活用されることができる飲料水供給装置を提供することである。
【課題を解決するための手段】
【０００７】
本発明の解決しようとする課題は以上の如くであり、次にこの課題を解決するための手段を説明する。
【０００８】
即ち、請求項１においては、商用電源から供給される電力により駆動可能な冷却装置及び／又は加熱装置を有し、着脱可能に取り付けられた飲料水貯溜容器から供給された飲料水を、前記冷却装置により冷却及び／又は前記加熱装置により加熱して供給する飲料水供給装置において、電力を供給可能な電力供給部と、停電により商用電源からの電力の供給が停止した場合に、前記電力供給部から電力が供給されて発光可能な発光部と、を有するものである。
【０００９】
請求項２においては、停電を検知する停電検知手段と、前記発光部を発光させる発光手段と、を有し、前記停電検知手段により停電が検知されると、前記発光手段により自動的に前記発光部が発光されるものである。
【００１０】
請求項３においては、防災用品を収納する防災用品収納部を有し、前記発光部が発光されると、前記防災用品収納部の周囲が照らされるものである。
【００１１】
請求項４においては、前記冷却装置により冷却及び／又は前記加熱装置により加熱した飲料水を供給するための飲料水供給部を有し、前記発光部が発光されると、前記飲料水供給部の周囲が照らされるものである。
【発明の効果】
【００１２】
本発明の効果として、以下に示すような効果を奏する。
【００１３】
請求項１においては、例えば停電した場合のような非常時に発光部が発光されるため、人に有効活用されることができる。
【００１４】
請求項２においては、例えば停電した場合のような非常時に自動的に発光部が発光されるため、人に有効活用されることができる。
【００１５】
請求項３においては、例えば停電した場合のような非常時に防災用品収納部の周囲が照らされるため、人に有効活用されることができる。
【００１６】
請求項４においては、例えば停電した場合のような非常時に飲料水供給部の周囲が照らされるため、人に有効活用されることができる。
【図面の簡単な説明】
【００１７】
【図１】本発明の第一実施形態に係るウォータサーバの全体的な構成を示した斜視図。
【図２】同じく、上側部の内部構造を示した模式図。
【図３】同じく、電力の供給態様を示したブロック図。
【図４】同じく、発光部の斜視図。
【図５】同じく、発光部の側面断面図。
【図６】（ａ）同じく、発光部が発光される様子を示した模式図。（ｂ）同じく、発光部が発光された場合における具体的な光の照射態様を示した模式図。
【図７】本発明の第二実施形態に係るウォータサーバの電力の供給態様を示したブロック図。
【発明を実施するための形態】
【００１８】
以下では、図中に示した矢印に従って、上下方向、左右方向及び前後方向を規定して説明を行う。
【００１９】
まず、図１から図３までを用いて、本発明の第一実施形態に係るウォータサーバ１（飲料水供給装置）の概略を説明する。
【００２０】
ウォータサーバ１は、所定の操作に応じて飲料水を供給する装置である。ウォータサーバ１は、一般家庭や、オフィス、病院、学校等の種々の場所に設置可能である。ウォータサーバ１は、上下方向に細長い略四角柱状の外郭を有する。ウォータサーバ１の上側半分（以下では「上側部２」と称する。）には、当該ウォータサーバ１の機能（飲料水の供給）を実行するための種々の部材が収納される。また、ウォータサーバ１の下側半分（以下では「下側部３」と称する。）には、前側面が開口された下部収納部６が形成される。
【００２１】
なお、下部収納部６には、例えば停電した場合のような非常時に使用する防災用品を収納することができる。ここで、ウォータサーバ１は飲料水を供給するものであるところ、飲料水は人の生活に必要なものであるため、ウォータサーバ１は人が比較的長く過ごす場所や、当該場所から比較的近い場所に設置されることが多い。すなわち、ウォータサーバ１に防災用品を収納する下部収納部６を形成することにより、停電した場合のような非常時に容易に防災用品を取得することができる。
【００２２】
図２に示すように、ウォータサーバ１には、所定の飲料水（本実施形態においては「水」）が予め充填されたパック状の充填袋１００が、上側部２の最上部に配設された取り付け部４内で着脱可能に取り付けられる。
【００２３】
なお、本実施形態において充填袋１００に充填された飲料水として「水」を例に挙げたが、これに限定するものではない。また、本実施形態においてウォータサーバ１に着脱可能に取り付けられるものとして、パック状の充填袋１００を例に挙げたが、これに限定するものではない。すなわち、ウォータサーバ１に着脱可能に取り付けられるものは、例えばボトル状のもの等であってもよい。
【００２４】
また、図２に示すように、ウォータサーバ１の上側部２の内部には、冷水タンク１０及び温水タンク２０が配設される。冷水タンク１０及び温水タンク２０は、図示せぬ配管を介して（ウォータサーバ１に取り付けられた状態の）充填袋１００と連通接続される。そして、冷水タンク１０及び温水タンク２０には、充填袋１００に充填された水が適宜供給され、それぞれ適量の水が貯溜されるように構成される。そして、冷水タンク１０には、冷却装置１１が付設される。また、温水タンク２０には、ヒータ２１（加熱装置）が付設される。
【００２５】
図２に示す冷却装置１１は、冷水タンク１０に貯溜された水を冷却するための装置である。冷却装置１１は、冷媒が流通する冷媒配管１３や、コンプレッサ１４等を有する。冷媒配管１３は、冷水タンク１０の周囲に巻装されると共に、コンプレッサ１４に接続される（不図示）。コンプレッサ１４は、冷媒を圧縮して冷媒配管１３に流通させることができる。図３に示すように、コンプレッサ１４は、制御回路３０と電気的に接続され、当該制御回路３０によりその駆動が制御される。このような構成により、冷水タンク１０に貯溜された水は、冷却装置１１により冷却されて冷水となる。
【００２６】
図２に示すヒータ２１（加熱装置）は、温水タンク２０に貯溜された水を加熱するための装置である。ヒータ２１は、温水タンク２０の周囲に巻装されると共に、発熱可能に構成される（不図示）。図３に示すように、ヒータ２１は、制御回路３０と電気的に接続され、当該制御回路３０によりその駆動が制御される。このような構成により、温水タンク２０に貯溜された水は、ヒータ２１により加熱されて温水となる。
【００２７】
なお、図３に示すように、コンプレッサ１４及びヒータ２１は、商用電源１１０と接続され、当該商用電源１１０から供給される電力により駆動される。
【００２８】
図３に示す制御回路３０は、コンプレッサ１４及びヒータ２１の駆動等を制御するものである。制御回路３０は、ＲＡＭやＲＯＭ等の記憶部、ＣＰＵ等の演算処理部等により構成され、種々の情報に基づいて所定の演算処理や記憶等を行うことができる。
【００２９】
図３に示すように、制御回路３０は、コンプレッサ１４と電気的に接続される。また、制御回路３０は、冷水タンク１０に貯溜された水（冷水）の温度を取得可能に構成される。制御回路３０は、冷水タンク１０に貯溜された水（冷水）の温度を予め設定された冷水温度となるように、コンプレッサ１４の駆動を制御する。
【００３０】
図３に示すように、制御回路３０は、ヒータ２１と電気的に接続される。また、制御回路３０は、温水タンク２０に貯溜された水（温水）の温度を取得可能に構成される。制御回路３０は、温水タンク２０に貯溜された水（温水）の温度を予め設定された温水温度となるように、ヒータ２１の駆動を制御する。
【００３１】
また、図１及び図２に示すように、ウォータサーバ１の上側部２の略中央には、冷水用コック１２及び温水用コック２２が左右に並設される。
【００３２】
図１及び図２に示す冷水用コック１２は、図示せぬ配管を介して冷水タンク１０と連通接続される。そして、所定の操作（例えば、冷水用コック１２に設けられた図示せぬ操作レバーを押す等）に応じて冷水タンク１０に貯溜された水（冷水）が機械的に冷水用コック１２に供給され、当該冷水用コック１２から外部に吐出（供給）される。
【００３３】
図１及び図２に示す温水用コック２２は、図示せぬ配管を介して温水タンク２０と連通接続される。そして、所定の操作（例えば、温水用コック２２に設けられた図示せぬ操作レバーを押す等）に応じて温水タンク２０に貯溜された水（温水）が機械的に温水用コック２２に供給され、当該温水用コック２２から外部に吐出（供給）される。
【００３４】
このように、ウォータサーバ１は所定の操作に応じて冷水及び温水を供給することができる。
【００３５】
なお、ウォータサーバ１は、本発明に係る「飲料水供給装置」の一実施形態である。また、充填袋１００は、本発明に係る「飲料水貯溜容器」の一実施形態である。また、冷却装置１１は、本発明に係る「冷却装置」の一実施形態である。また、ヒータ２１は、本発明に係る「加熱装置」の一実施形態である。また、冷水用コック１２及び温水用コック２２は、本発明に係る「飲料水供給部」の一実施形態である。
なお、ウォータサーバ１はヒータ２１及び冷却装置１１の両方を備える構成であるが、本発明に係る「飲料水供給装置」は、「加熱装置」及び「冷却装置」の両方を備える構成だけでなく、何れか一方だけを備える構成であってもよい。
【００３６】
また、図２から図５に示すように、ウォータサーバ１は、さらに発光部４０と、乾電池５０と、スイッチ部６０と、センサ部７０と、を有する。
【００３７】
図２、図４及び図５に示す発光部４０は、発光可能に構成されるものである。発光部４０は、ウォータサーバ１の上側部２で、左右に並設された冷水用コック１２及び温水用コック２２の間の上方に配置される。発光部４０は、ＬＥＤ部４１と、レンズ部４２と、本体部４３と、を有する。
【００３８】
図３から図５に示すＬＥＤ部４１は、光を照射可能に構成されるものである。ＬＥＤ部４１は、基板８１と、ＬＥＤ８２と、を有する。基板８１は、左右方向に細長い平板状であって、その板面を上下方向へ向けて形成される。ＬＥＤ８２は、基板８１の下面側に実装される。こうして、ＬＥＤ部４１は、電力が供給されると、ＬＥＤ８２から下方へ向けて光を照射することができる。
【００３９】
図２、図４及び図５に示すレンズ部４２は、ＬＥＤ部４１から照射された光を通過させ、適宜拡散させるものである。レンズ部４２は、透光性を有する部材により形成される。レンズ部４２は、前方へ向けて膨出した凸状の膨出部８３と、当該膨出部８３の開口縁部から外径方向へ向けて延出する平板状のリブ８４と、により構成される。リブ８４には、左右一対の貫通孔８５・８５が形成される。貫通孔８５・８５は、リブ８４を前後方向に貫通し、正面視で上下方向に細長く形成される。
【００４０】
図４及び図５に示す本体部４３は、レンズ部４２及びＬＥＤ部４１が装着されるものである。本体部４３は、レンズ部４２及びＬＥＤ部４１が装着された状態で、ウォータサーバ１の上側部２の前板の裏面に取り付けられる。本体部４３がウォータサーバ１の上側部２の前板の裏面に取り付けられると、当該本体部４３に装着されたレンズ部４２が、前記前板に形成されたレンズ孔５を介して当該前板よりも前方に突出する。本体部４３は、ＬＥＤ８２から下方へ向けて光が照射されると、当該光を適宜反射させてレンズ部４２（より詳細には、膨出部８３）を通過させることができる（図６（ａ）参照）。
なお、本体部４３の構成についての詳細な説明は後述する。
【００４１】
このように、発光部４０は、ＬＥＤ部４１に電力が供給されると、ＬＥＤ８２から下方へ向けて光を照射し、当該照射した光を本体部４３により適宜反射させてレンズ部４２を通過させることにより発光することができる。なお、レンズ部４２はウォータサーバ１の上側部２の前板よりも前方に突出するため、発光部４０が発光すると、ウォータサーバ１の前方を照すことができる。
【００４２】
図３に示す乾電池５０は、発光部４０（より詳細には、ＬＥＤ部４１）に電力を供給するものである。乾電池５０は、ウォータサーバ１の上側部２の内部に配置される。乾電池５０は、ＬＥＤ部４１と電気的に接続され、当該ＬＥＤ部４１に電力を供給することができる。
【００４３】
なお、乾電池５０は、本発明に係る「電力供給部」の一実施形態である。本発明に係る「電力供給部」の構成は、乾電池５０に限定するものではなく、例えば充電池であってもよく、停電して商用電源１１０からウォータサーバ１に電力が供給されない場合であっても発光部４０に電力を供給することができるものであればよい。
【００４４】
図３に示すスイッチ部６０は、乾電池５０からＬＥＤ部４１への電力の供給の可否を切り換えるものである。すなわち、スイッチ部６０がオンとなると、乾電池５０からＬＥＤ部４１に電力が供給される。一方、スイッチ部６０がオフとなると、乾電池５０からＬＥＤ部４１に電力が供給されない。スイッチ部６０は、通常時（停電していないとき）には、オフとなるように（乾電池５０からＬＥＤ部４１に電力が供給されないように）設定される。スイッチ部６０は、制御回路３０と電気的に接続され、当該制御回路３０によりオンオフの切り換えが制御される。
【００４５】
図３に示すセンサ部７０は、商用電源１１０から供給される電力を検知可能に構成され、ひいては停電を検知可能に構成される。センサ部７０は、コンプレッサ１４及びヒータ２１と商用電源１１０とを電気的に接続した配線の中途に配置される。センサ部７０は、制御回路３０と電気的に接続され、当該制御回路３０に検知結果に関する信号を出力することができる。
【００４６】
なお、制御回路３０は、前述したように、スイッチ部６０と電気的に接続される。制御回路３０は、スイッチ部６０のオンオフを切り換えることにより、乾電池５０からＬＥＤ部４１への電力の供給の可否を制御することができる。
また、制御回路３０は、前述したように、センサ部７０と電気的に接続される。制御回路３０にはセンサ部７０から出力された信号が入力し、制御回路３０は停電に関する情報を取得することができる。
また、制御回路３０は、センサ部７０から出力された検出結果に関する信号により停電に関する情報を取得した場合に、スイッチ部６０をオフからオンに切り換え、乾電池５０からＬＥＤ部４１への電力の供給を開始することができる。
【００４７】
このような構成のウォータサーバ１においては、通常時（停電していないとき）から停電した場合に、乾電池５０からＬＥＤ部４１への電力の供給を開始し、自動的に発光部４０を発光させてウォータサーバ１の前方を照すことができる。
【００４８】
なお、センサ部７０は、本発明に係る「停電検知手段」の一実施形態である。また、発光部４０は、本発明に係る「発光部」の一実施形態である。
【００４９】
以下では、発光部４０が発光された場合における具体的な光の照射態様について、発光部４０の本体部４３の構成と共に、図４から図６を用いて詳細に説明する。
【００５０】
本体部４３は、後方へ向けて開放された略箱状に形成される。本体部４３の前側部には、ＬＥＤ装着部８６と、反射部８７と、レンズ装着部８８と、が形成される。
【００５１】
ＬＥＤ装着部８６は、本体部４３においてＬＥＤ部４１が装着される部位である。ＬＥＤ装着部８６は、本体部４３の前側部の上部に、左右方向に細長いスリット状に形成される。ＬＥＤ装着部８６の内径は、ＬＥＤ部４１の基板８１の外径と略同一となるように形成される。こうして、ＬＥＤ装着部８６は、前方からＬＥＤ部４１が挿入可能であって、当該挿入されたＬＥＤ部４１がその内側で固定されるように形成される。また、ＬＥＤ装着部８６は、その内側の下側面が開放されている。
【００５２】
反射部８７は、本体部４３の前側部において、ＬＥＤ装着部８６の直ぐ下方に形成される。反射部８７は、光を反射可能に形成された板面である。反射部８７は、側面視でＬＥＤ装着部８６の後端部近傍から本体部４３の前下端部近傍まで略直線状に延出し、その板面が前上方を向くように形成される。
【００５３】
レンズ装着部８８は、本体部４３においてレンズ部４２が装着される部位である。レンズ装着部８８は、本体部４３の前側部において、反射部８７の直ぐ前方に形成される。レンズ装着部８８は、本体部４３の前側部が後方へ向けて若干凹んだ凹部として形成される。レンズ装着部８８の内径は、レンズ部４２（より詳細には、レンズ部４２のリブ８４）の外径と略同一となるように形成される。こうして、レンズ装着部８８は、前方からレンズ部４２が嵌合可能であって、当該嵌合されたレンズ部４２が固定されるように形成される。なお、レンズ装着部８８には、左右一対の突出部８９・８９が形成される。突出部８９・８９は、前方へ向けて突出し、正面視で上下方向に細長く形成される。こうして、レンズ部４２がレンズ装着部８８に固定されるときに突出部８９・８９が貫通孔８５・８５に挿入され、当該レンズ部４２の位置決めが行われるように構成される。
【００５４】
このような構成により、図６（ａ）に示すように、ＬＥＤ装着部８６に装着された状態のＬＥＤ部４１からの光は、当該ＬＥＤ装着部８６の下方に配置される反射部８７を照射する。そして、当該反射部８７を照射したＬＥＤ部４１からの光は、当該反射部８７に反射して前下方を照射する。そして、当該反射部８７に反射して前下方を照射した光は、図６（ｂ）に示すように、レンズ装着部８８に装着された状態のレンズ部４２の膨出部８３を通過して適宜拡散される。このように、発光部４０が発光すると、ウォータサーバ１の前方（より詳細には、発光部４０よりも前下方）を照すことができる。
【００５５】
ここで、発光部４０の下方には、冷水用コック１２及び温水用コック２２が配置される。したがって、停電した場合には、自動的に発光部４０を発光させて冷水用コック１２及び温水用コック２２の周囲を照すことができる。すなわち、ウォータサーバ１は、停電時に、容易に飲料水を供給することができ、人に有効活用されることができる。
【００５６】
また、発光部４０の下方（ウォータサーバ１の下側部３）には、下部収納部６が配置される。したがって、停電した場合には、自動的に発光部４０を発光させて下部収納部６の周囲を照すことができる。ここで、下部収納部６とは、例えば停電した場合のような非常時に使用する防災用品が収納されるものである。すなわち、ウォータサーバ１は、停電時に、防災用品を取り出すことができ、人に有効活用されることができる。
【００５７】
なお、本体部４３の構成を変更することにより、発光部４０により照らすことができる範囲を適宜変更することができる。より詳細には、ＬＥＤ部４１がＬＥＤ装着部８６に装着された状態の角度や、反射部８７の角度等を変更することにより、発光部４０により照らすことができる範囲を適宜変更することができる。
【００５８】
以上のように、本発明の第一実施形態に係るウォータサーバ１は、
商用電源１１０から供給される電力により駆動可能な冷却装置１１及び／又はヒータ２１（加熱装置）を有し、
着脱可能に取り付けられた充填袋１００（飲料水貯溜容器）から供給された飲料水を、前記冷却装置１１により冷却及び／又は前記ヒータ２１（加熱装置）により加熱して供給する飲料水供給装置において、
電力を供給可能な乾電池５０（電力供給部）と、
停電により商用電源１１０からの電力の供給が停止した場合に、前記乾電池５０（電力供給部）から電力が供給されて発光可能な発光部４０と、
を有するものである。
【００５９】
このような構成により、例えば停電した場合のような非常時に発光部４０が発光されるため、人に有効活用されることができる。
【００６０】
また、ウォータサーバ１は、
停電を検知するセンサ部７０（停電検知手段）と、
前記発光部４０を発光させる制御回路３０（発光手段）と、
を有し、
前記センサ部７０（停電検知手段）により停電が検知されると、前記制御回路３０（発光手段）により自動的に前記発光部４０が発光されるものである。
【００６１】
このような構成により、例えば停電した場合のような非常時に自動的に発光部４０が発光されるため、人に有効活用されることができる。
【００６２】
また、ウォータサーバ１は、
防災用品を収納する下部収納部６（防災用品収納部）を有し、
前記発光部４０が発光されると、前記下部収納部６（防災用品収納部）の周囲が照らされるものである。
【００６３】
このような構成により、例えば停電した場合のような非常時に下部収納部６（防災用品収納部）の周囲が照らされるため、人に有効活用されることができる。
【００６４】
また、ウォータサーバ１は、
前記冷却装置１１により冷却及び／又は前記ヒータ２１（加熱装置）により加熱した飲料水を供給するための冷水用コック１２及び温水用コック２２（飲料水供給部）を有し、
前記発光部４０が発光されると、前記冷水用コック１２及び温水用コック２２（飲料水供給部）の周囲が照らされるものである。
【００６５】
このような構成により、例えば停電した場合のような非常時に冷水用コック１２及び温水用コック２２（飲料水供給部）の周囲が照らされるため、人に有効活用されることができる。
【００６６】
以下では、本発明の第二実施形態に係るウォータサーバ２００（飲料水供給装置）を説明する。
【００６７】
なお、ウォータサーバ２００の構成において、ウォータサーバ１の構成と異なる点は、切り替えリレー部２１０と、リレー制御回路２３０と、を有することである。
以下では、これらのウォータサーバ１の構成と異なる点を中心に説明を行い、当該ウォータサーバ１の構成と同一である点は説明を適宜省略する。
【００６８】
切り替えリレー部２１０は、乾電池５０からＬＥＤ部４１への電力の供給の可否を切り換えるものである。切り替えリレー部２１０は、リレー制御回路２３０と電気的に接続され、当該リレー制御回路２３０によりオンオフの切り換えが制御される。
【００６９】
リレー制御回路２３０は、商用電源１１０からの電力の供給の有無に応じて、切り替えリレー部２１０のオンオフの切り換えを制御するものである。
より詳細には、リレー制御回路２３０は、商用電源１１０からの電力が供給されている場合（停電でない場合）には、切り替えリレー部２１０をオフに切り換える。一方、リレー制御回路２３０は、商用電源１１０からの電力が供給されていない場合（停電である場合）には、切り替えリレー部２１０をオンに切り換える。
【００７０】
このような構成により、停電の有無に応じて、乾電池５０からＬＥＤ部４１への電力の供給の可否を、より容易に切り換えることができる。
【符号の説明】
【００７１】
１      ウォータサーバ
１１    冷却装置
２１    ヒータ
３０    制御回路
４０    発光部
５０    乾電池
７０    センサ部
１１０  商用電源
【図１】
2015093695.tif 000003
【図２】
2015093695.tif 000004
【図３】
2015093695.tif 000005
【図４】
2015093695.tif 000006
【図５】
2015093695.tif 000007
【図６】
2015093695.tif 000008
【図７】
2015093695.tif 000009